(57)【要約】  無線デバイス（１００）と無線通信ノード（３００）を備える無線通信システム（１０００）が提供される。無線通信ノード（３００）は、無線デバイス（１００）へ参照信号シーケンスにおいて第１のコードシーケンス（４８５）及び第２のコードシーケンス（４８６）を送信する。第１のコードシーケンス（４８５）は、拡張物理ダウンリンク制御チャネル（ｅＰＤＣＣＨ）を搬送する物理リソースブロックを識別する情報を搬送し、第２のコードシーケンス（４８６）は、制御フォーマットインジケータを識別する情報を搬送する。【選択図】図１
2015531553.tif 000002
【特許請求の範囲】
【請求項１】
無線デバイスと、
前記無線デバイスへ参照信号シーケンスにおいて第１のコードシーケンス及び第２のコードシーケンスを送信する無線通信ノードと、を備え、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
無線通信システム。
【請求項２】
前記無線デバイスは、前記参照信号から前記第１及び第２のコードシーケンスを検出し、前記ｅＰＤＣＣＨ及び前記制御フォーマットインジケータに基づいてリソースアロケーションを取得する、
請求項1に記載の無線通信システム。
【請求項３】
前記ノードは、基地局を備える、
請求項１または２に記載の無線通信システム。
【請求項４】
前記ｅＰＤＣＣＨは、ＭＴＣ（マシンタイプ通信）のために指定され、
前記無線デバイスは、マシンタイプ通信デバイスを備える、
請求項１乃至３のいずれか一項に記載の無線通信システム。
【請求項５】
前記無線通信ノードは、前記無線通信ノードに割り当てられた通信帯域内の仮想狭帯域を生成し、
前記仮想狭帯域は、ＭＴＣのために指定されている、
請求項４に記載の無線通信システム。
【請求項６】
前記仮想狭帯域は、１．４ＭＨｚの帯域である、
請求項５に記載の無線通信システム。
【請求項７】
前記第１のコードシーケンスは、前記ｅＰＤＣＣＨの送信のため前記無線通信ノードにより指定されたアンテナポートの数を示す、
請求項１乃至６のいずれか一項に記載の無線通信システム。
【請求項８】
前記第１のコードシーケンスは、ショートコードを含み、
前記第２のコードシーケンスは、ロングコードを含む、
請求項7に記載の無線通信システム。
【請求項９】
前記ショートコードは、復調参照信号のために確保されるリソースエレメントの数に等しい長さを有する１つのＰＲＢ（物理リソースブロック）におよぶ固有直交シーケンスを含む、
請求項８に記載の無線通信システム。
【請求項１０】
前記ショートコードは、前記ＰＤＣＣＨのために割り当てられる１つ以上のＰＲＢのために繰り返され、
前記ショートコードを送信する回数は、ｅＰＤＣＣＨの送信のために設けられたアンテナポートの最大数に等しい、
請求項９に記載の無線通信システム。
【請求項１１】
前記第１のコードシーケンスは、物理リソースブロック単位で前記無線通信ノードにより、前記参照信号シーケンスの少なくとも一部にコード多重される、
請求項１乃至１０のいずれか一項に記載の無線通信システム。
【請求項１２】
前記ロングコードは、前記仮想狭帯域における１つ以上の物理リソースブロックにまたがる長さの固有直交シーケンスを含む、
請求項８に記載の無線通信システム。
【請求項１３】
前記ロングコードのセクションは、物理リソースブロック単位で再生される、
請求項１２に記載の無線通信システム。
【請求項１４】
前記ロングコードは、制御フォーマットインジケータ＝１、制御フォーマットインジケータ＝２、または制御フォーマットインジケータ＝３のいずれかを特定する、
請求項１２または１３に記載の無線通信システム。
【請求項１５】
それぞれの制御フォーマットインジケータ値のロングコードは、固有である、
請求項１４に記載の無線通信システム。
【請求項１６】
通信ネットワークで使用するための無線通信ノードであって、
無線デバイスへ参照信号シーケンスにおいて第１のコードシーケンス及び第２のコードシーケンスを送信する送信機を備え、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
無線通信ノード。
【請求項１７】
前記無線通信ノードは、前記無線通信ノードに割り当てられた通信帯域内の仮想狭帯域を生成し、
前記仮想狭帯域は、ＭＴＣ（マシンタイプ通信）のために指定されている、
請求項１６に記載の無線通信ノード。
【請求項１８】
前記仮想狭帯域は、１．４ＭＨｚの帯域である、
請求項１７に記載の無線通信ノード。
【請求項１９】
無線通信ノードから参照信号シーケンスにおいて第１のコードシーケンス及び第２のコードシーケンスを受信する受信部を備え、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
無線デバイス。
【請求項２０】
無線デバイスへ参照信号シーケンスにおいて第１のコードシーケンス及び第２のコードシーケンスを送信する送信部を備え、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
無線通信ノード。
【請求項２１】
無線通信システムにおける実装方法であって、
無線通信ノードから無線デバイスへ参照信号シーケンスにおいて第１のコードシーケンス及び第２のコードシーケンスを送信し、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
実装方法。
【請求項２２】
無線デバイスにおける実装方法であって、
無線通信ノードから参照信号シーケンスにおいて第１のコードシーケンス及び第２のコードシーケンスを受信し、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
実装方法。
【請求項２３】
無線通信ノードにおける実装方法であって、
無線デバイスへ参照信号シーケンスにおいて第１のコードシーケンス及び第２のコードシーケンスを送信し、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
実装方法。
【発明の詳細な説明】
【技術分野】
【０００１】
本発明は、無線通信システム及び無線通信システムにおける実装方法に関する。特に、本発明は、通信ネットワークにおいてマシンタイプ通信（machine-type communication：MTC）を管理するシステムおよび方法に関するものに限定されない。
【背景技術】
【０００２】
スマートフォン、タブレット端末などのポータブルコンピューティングデバイスの人気が増加し続けており、無線データサービスの需要が急増している。最近ではタブレット端末の販売台数のみで、全世界で１億台を超えている。増加し続ける無線サービスの人気は、より高いデータ速度及びサービス品質の需要を導いている。この需要は、特に移動データネットワーク及び移動通信ネットワークの発展を引き起こしている。データサービスの増加する要求は、２ＧシステムでのＳＭＳの導入から、２．５Ｇ（ＧＳＭ（登録商標）、ＧＰＲＳ、ＥＧＰＲＳ（Ｅｄｇｅ））、３Ｇ ＵＴＭＳ、ＨＳＰＡ、ＨＳＰＡ＋への発展を引き起こしている。
【０００３】
さらに近年では、３ＧＰＰは、ロングタームエボリューション（Long Term Evolution：LTE）の無線通信標準を具体化した。ＬＴＥ標準は、簡略化及び平坦化されたアーキテクチャを用いたオールＩＰコアネットワークを保証する。このアーキテクチャは、高いスループット、低遅延をサポートするだけでなく、ＣＤＭＡ、ＷｉＭＡＸ、ＷｉＦｉ、高速パケットデータ（High Rate Packet Data：HRPD）、拡張ＨＲＰＤ（evolved HRPD：eHRPD）、およびＥＴＳＩ定義ＴＩＳＰＡＮネットワーク（ETSI-defined TISPAN networks）を含む非３ＧＰＰ無線アクセス技術と３ＧＰＰ（ＧＳＭ、ＵＭＴＳ、およびＬＴＥ）との間の移動をサポートする。
【０００４】
多元接続（multiple access）技術におよぶ共通パケットコア（common packet core）の使用は、モバイルサービスの提供を有効にし、現在提供されるサービスを超えたエンドツーエンドサービスを拡張する。多くの関心を得ている分野の一つは、ＬＴＥとＬＴＥアドバンストセルラーネットワーク（LTE Advanced cellular networks）を経由したマシンツーマシン（M2M in ETSI term）通信またはマシンタイプ通信（MTC in 3GPP term）である。Ｍ２Ｍ通信マーケットは、スマートメーター（smart metering）、商用車の追跡（commercial fleet tracking）などのような、データを送受信するアプリケーションの増加のため、将来的に拡大し続ける可能性が高い。
【発明の概要】
【発明が解決しようとする課題】
【０００５】
現在、ネットワーク内のＭＴＣデバイス間、およびＭＴＣデバイスとＭＴＣサーバ間のマシンタイプ通信は、ＧＳＭ／ＧＰＲＳネットワークによって適切に処理されている。これらのＭＴＣデバイスの低コストとＧＳＭ／ＧＰＲＳの良好なカバレッジのため、ＬＴＥ無線インタフェースをサポートするモジュールを使用するＭＴＣデバイスサプライヤーの動機がほとんどなかった。しかし、無線通信ネットワークにより多くのＭＴＣデバイスが配置されるにしたがって、既存のＧＳＭ／ＧＰＲＳネットワークへの依存が高まるだろう。したがって、複数の無線アクセス技術（ＲＡＴ）を維持するという点で、ネットワークオペレータにコストがかかるのみならず、また、特にＧＳＭ／ＧＰＲＳの非最適なスペクトル効率が与えられ、ライセンスされたスペクトルからオペレータが最大の利益を得ることを妨げる。
【０００６】
最近、３ＧＰＰ ＲＡＮ−ＷＧ1は、「ＬＴＥに基づいた低コストＭＴＣのＵＥの提供（Provision of Low-Cost MTC UEs based on LTE）」に関する研究を実施した。この研究では、複数の基準が採用される場合、すなわち、ダウンリンク帯域幅が減少し、ピークデータレートが減少し、単一のＲＦ受信チェーン（single Rx RF chain）が採用される場合、ダウンリンク送信モードが減少する場合、半二重ＦＤＤが採用される場合、ＬＴＥ ＵＥモデムのコストは、ＥＧＰＲＳモデムと同等であることがわかった。したがって、現在の２．５Ｇおよび３ＧのＭＴＣデバイスの実現可能な代替品として、低コストＬＴＥベースのＭＴＣデバイス（low cost LTE based MTC devices）の実装が可能である。
【０００７】
低コストＭＴＣデバイスの実装が、古いＭＴＣシステムから新しい４Ｇネットワークへの移行を可能にすることから、ＭＴＣデバイスの数は、将来的に増加する可能性が高い。全体的なリソースとして、それらは、サービス提供のために必要となり、重要となるため、効率的に割り当てる必要がある。
【０００８】
ＭＴＣオペレータに低い運用コストを可能にするための簡単なオペレーション手順を有し、ＧＳＭ／ＧＰＲＳネットワークからＬＴＥネットワークへＭＴＣデバイスの移行を容易にすることが可能な低コストかつ低電力のＭＴＣデバイスを、提供することが明らかに有利となる。
【課題を解決するための手段】
【０００９】
本発明の一態様では、
無線デバイスと、
前記無線デバイスへ参照信号シーケンスにおいて第１のコードシーケンス（符号系列）及び第２のコードシーケンスを送信する無線通信ノードと、を備え、
前記第１のコードシーケンスは、ｅＰＤＣＣＨ（enhanced physical downlink control channel：拡張物理ダウンリンク制御チャネル）を搬送する物理リソースブロックを識別する情報を搬送し、第２のコードシーケンスは、制御フォーマットインジケータ（control format indicator）を識別する情報を搬送する、
無線通信システムが提供される。
【００１０】
一実施形態では、前記無線デバイスは、前記参照信号から前記第１及び第２のコードシーケンスを検出し、前記ｅＰＤＣＣＨ及び前記制御フォーマットインジケータに基づいてリソースアロケーションを取得する。
【００１１】
一実施形態では、前記ノードは、基地局を備える。
【００１２】
一実施形態では、前記ｅＰＤＣＣＨは、ＭＴＣ（machine type communications：マシンタイプ通信）のために指定され、前記無線デバイスは、マシンタイプ通信デバイスを備える。
【００１３】
一実施形態では、前記無線通信ノードは、前記無線通信ノードに割り当てられた通信帯域内の仮想狭帯域（virtual narrow band）を生成し、前記仮想狭帯域は、ＭＴＣのために指定されている。
【００１４】
一実施形態では、前記仮想狭帯域は、１．４ＭＨｚ（central 1.4MHz）の帯域である。
【００１５】
一実施形態では、前記第１のコードシーケンスは、前記ｅＰＤＣＣＨの送信のため前記無線通信ノードにより指定されたアンテナポートの数を示す。
【００１６】
一実施形態では、前記第１のコードシーケンスは、ショートコードを含み、前記第２のコードシーケンスは、ロングコードを含む。
【００１７】
一実施形態では、前記ショートコードは、復調参照信号のために確保されるリソースエレメントの数に等しい長さを有する１つのＰＲＢ（physical resource block：物理リソースブロック）におよぶ固有直交シーケンス（unique orthogonal sequence）を含む。
【００１８】
一実施形態では、前記ショートコードは、前記ＰＤＣＣＨのために割り当てられる１つ以上のＰＲＢのために繰り返され、前記ショートコードを送信する回数は、ｅＰＤＣＣＨの送信のために設けられたアンテナポートの最大数に等しい。
【００１９】
一実施形態では、前記第１のコードシーケンスは、物理リソースブロック単位で前記無線通信ノードにより、前記参照信号シーケンスの少なくとも一部にコード多重（code-multiplexed：符号多重）される。
【００２０】
一実施形態では、前記ロングコードは、前記仮想狭帯域における１つ以上の物理リソースブロックにまたがる長さの固有直交シーケンスを含む。
【００２１】
一実施形態では、前記ロングコードのセクションは、物理リソースブロック単位で再生される。
【００２２】
一実施形態では、前記ロングコードは、制御フォーマットインジケータ＝１、制御フォーマットインジケータ＝２、または制御フォーマットインジケータ＝３のいずれかを特定する。
【００２３】
一実施形態では、それぞれの制御フォーマットインジケータ値のロングコードは、固有（unique）である。
【００２４】
本発明の一態様では、通信ネットワークで使用するための無線通信ノードであって、
無線デバイスへ参照信号シーケンスにおいて第１のコードシーケンス及び第２のコードシーケンスを送信する送信機を備え、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
無線通信ノードが提供される。
【００２５】
一実施形態では、前記無線通信ノードは、前記無線通信ノードに割り当てられた通信帯域内の仮想狭帯域を生成し、前記仮想狭帯域は、ＭＴＣ（マシンタイプ通信）のために指定されている。
【００２６】
一実施形態では、前記仮想狭帯域は、１．４ＭＨｚ（central 1.4MHz）の帯域である。
【００２７】
本発明の一態様では、
無線通信ノードから参照信号シーケンスにおいて第１のコードシーケンス及び第２のコードシーケンスを受信する受信部を備え、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
無線デバイスが提供される。
【００２８】
本発明の一態様では、
無線デバイスへ参照信号シーケンスにおいて第１のコードシーケンス及び第２のコードシーケンスを送信する送信部を備え、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
無線通信ノードが提供される。
【００２９】
本発明の一態様では、無線通信システムにおける実装方法であって、
無線通信ノードから無線デバイスへ参照信号シーケンスにおいて第１のコードシーケンス及び第２のコードシーケンスを送信し、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
実装方法が提供される。
【００３０】
本発明の一態様では、無線デバイスにおける実装方法であって、
無線通信ノードから参照信号シーケンスにおいて第１のコードシーケンス及び第２のコードシーケンスを受信し、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
実装方法が提供される。
【００３１】
本発明の一態様では、無線通信ノードにおける実装方法であって、
無線デバイスへ参照信号シーケンスにおいて第１のコードシーケンス及び第２のコードシーケンスを送信し、
前記第１のコードシーケンスは、ｅＰＤＣＣＨ（拡張物理ダウンリンク制御チャネル）を搬送する物理リソースブロックを識別する情報を搬送し、第２のコードシーケンスは、制御フォーマットインジケータを識別する情報を搬送する、
実装方法が提供される。
【００３２】
本発明の一態様では、通信ネットワークを介してマシンタイプデバイスとマシンタイプサーバおよび／またはアプリケーションとの間のマシンタイプ通信を可能にするためのシステムであって、
前記通信ネットワーク内のマシンタイプデバイスからマシンタイプサーバおよび／またはアプリケーションへ受信されるマシンタイプ通信データパケット（複数可）をルーティングするために、コアネットワークに接続された複数の無線通信ノードを備え、
それぞれの無線通信ノードは、第１のコードシーケンス及び第２のコードシーケンスを、ノードカバレッジエリア内の各マシンタイプデバイスへ参照信号シーケンスの一部として送信するように構成されており、前記第１のコードシーケンスは、マシンタイプ通信のために指定されたｅＰＤＣＣＨ（拡張物理ダウンリンク制御チャネル）を搬送する物理リソースブロックを識別する情報を搬送し、第２のコードシーケンスは、前記ｅＰＤＣＣＨの開始ＯＦＤＭシンボル（ePDCCHs starting OFDM symbol）を示す制御フォーマットインジケータを識別する情報を搬送し、
ノードカバレッジエリア内の一つ以上のマシンタイプデバイスは、参照信号から前記第１及び第２のコードシーケンスをデコードし、ＭＴＣ通信のために指定され前記識別された拡張物理ダウンリンク制御チャネルから、リソースアロケーションおよび／または関連するＰＤＳＣＨを取得するように構成されている、
システムが提供される。
【００３３】
好ましくは、前記通信ネットワークは、外部ＩＰネットワークを介してＭＴＣサーバおよび／またはＭＴＣアプリケーションサーバに接続されたＬＴＥネットワークである。このような場合では、コアネットワークは、ＬＴＥネットワークの拡張パケットコア（evolved packet core）でもよく、前記無線通信ノードは、拡張ノードＢ（evolved nodeBs）である。好適には、前記無線通信ノードは、ノードに割り当てられた通信帯域内の仮想狭帯域を生成するように構成され、前記仮想狭帯域は、マシンタイプ通信のために指定されている。前記仮想バンドは、好ましくは、ＬＴＥスペクトルの１．４ＭＨｚ（central 1.4MHz）の帯域で生成される。
【００３４】
前記第１のコードシーケンス（複数可）は、前記ｅＰＤＣＣＨを送信するためのアクティブアンテナポートを示してもよい。好適には、第１のコードシーケンス（複数可）は、物理リソースブロック単位で無線通信ノードにより、参照信号シーケンスの一部にコード多重（code-multiplexed）される。
【００３５】
好ましくは、前記第１のコードシーケンスは、ショートコードであり、前記第２のコードシーケンスはロングコードである。好適には、前記ショートコードは、復調参照信号のために確保されるリソースエレメントの数に等しい長さを有する１つのＰＲＢ（物理リソースブロック）におよぶ固有直交シーケンスである。前記ショートコードは、前記ｅＰＤＣＣＨ（複数可）のために割り当てられるすべてのＰＲＢ（複数可）のために繰り返され、前記ショートコードを送信する回数は、ｅＰＤＣＣＨ（複数可）の送信のために設けられたアンテナポートの最大数に等しい。本発明のいくつかの実施形態では、１つのユニークなショートコードは、ｅＰＤＣＣＨ（複数可）の送信のための単一のアンテナ（single antenna）の送信のために利用されてもよく、２つのユニークなショートコードは、ｅＰＤＣＣＨ（複数可）の送信のための２つのアンテナのために利用されてもよく、４つのユニークなショートコードは、ｅＰＤＣＣＨ（複数可）の送信ための単一のアンテナ（single antenna）のために利用されてもよい。
【００３６】
好適には、前記ロングコードは、前記仮想バンドにおけるすべての物理リソースブロックにまたがる長さの固有直交シーケンスである。前記ロングコードのセクションは、物理リソースブロック単位で再生されてもよい。好ましくは、前記ロングコードは、制御フォーマットインジケータ＝１、制御フォーマットインジケータ＝２、または制御フォーマットインジケータ＝３を示す固有直交シーケンスである。本発明のいくつかの実施形態では、３つのユニークなロングコードは、制御フォーマットインジケータ＝１、制御フォーマットインジケータ＝２、及び制御フォーマットインジケータ＝３のそれぞれのために利用されてもよい。
【００３７】
本発明の他の態様では、通信ネットワークで使用するための無線通信ノードであって、第１のコードシーケンス及び第２のコードシーケンスをノードカバレッジエリア内の各マシンタイプデバイスへの参照信号シーケンスの一部として送信し、前記第１のコードシーケンスは、マシンタイプ通信のために指定されたｅＰＤＣＣＨ（拡張物理ダウンリンク制御チャネル）を搬送する物理リソースブロックを識別する情報を搬送し、第２のコードシーケンスは、前記ｅＰＤＣＣＨの開始ＯＦＤＭシンボルを示す制御フォーマットインジケータを識別する情報を搬送する、無線通信ノードが提供される。
【００３８】
前記無線通信ノードは、前記ノードに割り当てられた通信帯域内の仮想狭帯域を生成するように構成されてもよく、前記仮想狭帯域は、ＭＴＣ（マシンタイプ通信）のために指定されている。前記仮想狭帯域は、好ましくは、ＬＴＥスペクトルの１．４ＭＨｚ（central 1.4MHz）の帯域で生成される。
【００３９】
前記第１のコードシーケンス（複数可）は、前記ｅＰＤＣＣＨを送信するためのアクティブアンテナポートを示してもよい。好適には、第１のコードシーケンス（複数可）は、物理リソースブロック単位で無線通信ノードにより、参照信号シーケンスの一部にコード多重（code-multiplexed）される。
【００４０】
好ましくは、前記第１のコードシーケンスは、ショートコードであり、前記第２のコードシーケンスはロングコードである。好適には、前記ショートコードは、復調参照信号のために確保されるリソースエレメントの数に等しい長さを有する１つのＰＲＢ（物理リソースブロック）におよぶ固有直交シーケンスである。前記ショートコードは、前記ｅＰＤＣＣＨ（複数可）のために割り当てられるすべてのＰＲＢ（複数可）のために繰り返され、前記ショートコードを送信する回数は、ｅＰＤＣＣＨ（複数可）の送信のために設けられたアクティブアンテナポートの最大数に等しい、本発明のいくつかの実施形態では、１つのユニークなショートコードは、ＰＤＣＣＨ（複数可）の送信のための単一のアンテナ（single antenna）の送信のために利用されてもよく、２つのユニークなショートコードは、ＰＤＣＣＨ（複数可）の送信のための２つのアンテナのために利用されてもよく、４つのユニークなショートコードは、ＰＤＣＣＨ（複数可）の送信ための単一のアンテナ（single antenna）のために利用されてもよい。
【００４１】
好適には、前記ロングコードは、前記仮想バンドにおけるすべての物理リソースブロックにまたがる長さの固有直交シーケンスである。前記ロングコードのセクションは、物理リソースブロック単位で再生されてもよい。好ましくは、前記ロングコードは、制御フォーマットインジケータ＝１、制御フォーマットインジケータ＝２、または制御フォーマットインジケータ＝３を示す固有直交シーケンスである。本発明のいくつかの実施形態では、３つのユニークなロングコードは、制御フォーマットインジケータ＝１、制御フォーマットインジケータ＝２、及び制御フォーマットインジケータ＝３のそれぞれのために利用されてもよい。
【００４２】
本発明のさらに別の態様では、通信ネットワークで使用するためのマシンタイプ通信デバイスであって、マシンタイプ通信のために指定されたｅＰＤＣＣＨ（拡張物理ダウンリンク制御チャネル）を伝送する物理リソースブロックを識別する情報を搬送する第１のコードシーケンスと、前記ｅＰＤＣＣＨの開始ＯＦＤＭシンボルを示す制御フォーマットインジケータを識別する情報を搬送する第２のコードシーケンスとのため、無線通信ノードから送信された参照信号をモニタすることにより、そのリソースアロケーションを決定するように構成される、マシンタイプ通信デバイスが提供される。
【００４３】
本発明のさらに別の態様では、通信ネットワークを介してマシンタイプデバイスとマシンタイプサーバおよび／またはアプリケーションサーバとの間のマシンタイプ通信を可能にするための方法であって、前記通信ネットワークは、通信ネットワーク内のマシンタイプ通信デバイスから／マシンタイプ通信デバイスへマシンタイプ通信サーバおよび／またはアプリケーションと受信／送信されたマシンタイプ通信データパケットをルーティングするために、コアネットワークに接続された複数の無線通信ノードを含み、
各無線通信ノードで、マシンタイプ通信のために指定されたｅＰＤＣＣＨ（拡張物理ダウンリンク制御チャネル）を搬送する物理リソースブロックの識別と、前記ｅＰＤＣＣＨｓを送信するためのアンテナポートの数の識別とを行う情報を含む第１のコードシーケンスを生成し、
各無線通信ノードで、制御フォーマットインジケータを識別する情報を含む第２のコードシーケンスを生成し、
各無線通信ノードから前記第１のコードシーケンス及び前記第２のコードシーケンスを、各ノードカバレッジエリア内のマシンタイプデバイスへの参照信号シーケンスの一部として送信し、
各マシンタイプデバイスで、ｅＰＤＣＣＨ（拡張物理ダウンリンク制御チャネル）を伝送する物理リソースブロックと、マシンタイプ通信に指定された送信された関連するアンテナポートの数と、制御フォーマットインジケータとを識別するために、前記第１及び第２のコードシーケンスを検出し、
前記マシンタイプデバイスで、マシンタイプ通信のために指定されたｅＰＤＣＣＨ（拡張物理ダウンリンク制御チャネル）を搬送する識別された物理リソースブロック及び制御フォーマットインジケータからマシンタイプデバイスに割り当てられたリソースを決定し、前記マシンタイプ通信デバイスは、前記ネットワーク上のマシンタイプサーバおよび／またはアプリケーションと通信するため、割り当てられたリソースを使用する、
方法が提供される。
【００４４】
前記方法は、また、各ノードに割り当てられた通信帯域内の仮想狭帯域を生成し、マシンタイプ通信のための前記仮想狭帯域を指定するステップを含んでもよい。
【００４５】
好適には、各第１のコードシーケンスは、前記ｅＰＤＣＣＨを送信するためのアクティブアンテナポートを示す。好ましくは、前記第１のコードシーケンスは、ショートコードである。好適には、ショートコードは、復調参照信号のために確保されるリソースエレメントの数に等しい長さを有する１つのＰＲＢ（物理リソースブロック）におよぶ固有直交シーケンスである。前記ショートコードは、前記ｅＰＤＣＣＨ（複数可）のために割り当てられるすべてのＰＲＢ（複数可）のために繰り返され、前記ショートコードを送信する回数は、ｅＰＤＣＣＨ（複数可）の送信のために設けられたアンテナポートの最大数に等しい。本発明のいくつかの実施形態では、１つのユニークなショートコードは、ｅＰＤＣＣＨ（複数可）の送信のための単一のアンテナ（single antenna）の送信のために利用されてもよく、２つのユニークなショートコードは、ｅＰＤＣＣＨ（複数可）の送信のための２つのアンテナのために利用されてもよく、４つのユニークなショートコードは、ｅＰＤＣＣＨ（複数可）の送信ための単一のアンテナ（single antenna）のために利用されてもよい。
【００４６】
好ましくは、前記第２のコードシーケンスはロングコードである。好適には、前記ロングコードは、前記仮想バンドにおけるすべての物理リソースブロックにまたがる長さの固有直交シーケンスである。前記ロングコードのセクションは、物理リソースブロック単位で再生されてもよい。好ましくは、前記ロングコードは、制御フォーマットインジケータ＝１、制御フォーマットインジケータ＝２、または制御フォーマットインジケータ＝３を示す固有直交シーケンスである。本発明のいくつかの実施形態では、３つのユニークなロングコードは、制御フォーマットインジケータ＝１、制御フォーマットインジケータ＝２、及び制御フォーマットインジケータ＝３のそれぞれのために利用されてもよい。
【００４７】
本明細書における任意の先行技術への言及は、先行技術が共通の一般知識の一部を形成することを、容認または任意の示唆を構成するものとして解釈されることはなく、また解釈されるべきではない。
【発明の効果】
【００４８】
本発明によれば、効率的にサービス提供のためのリソースを割り当てることが可能である。
【図面の簡単な説明】
【００４９】
【図１】図１は、レガシーデバイスと低コストＭＴＣデバイスの両方をサポートする無線通信ネットワークを示す概略図である。
【図２】図２は、ＭＴＣ ｅＰＤＣＣＨを搬送する物理リソースブロックのブラインド検出と１及び２のアンテナポートのためのＣＦＩのブラインド検出とのための、直交シーケンス及びリソースエレメント（ＲＥ）マッピングを示す概略図である。
【図３】図３は、ＭＴＣ ｅＰＤＣＣＨを伝送する物理リソースブロックのブラインド検出と４つのアンテナポートのためのＣＦＩのブラインド検出のための、直交シーケンス及びリソースエレメント（ＲＥ）マッピングを示す概略図である。
【発明を実施するための形態】
【００５０】
本発明の理解をより容易にし、実質的な効果を示すことができるようにするため、ここでは、本発明の好ましい実施形態を示す添付図面を参照する。
【００５１】
図１を参照すると、複数のデバイスをサポートする通信ネットワーク１０００が示されている。示されるように、ネットワーク１０００は、好ましくは、無線ネットワーク５０１に接続された移動通信ネットワークコア５００を含むＬＴＥ通信システムである移動通信ネットワークを含む。
【００５２】
多くのＬＴＥネットワークのケースのような無線ネットワークは、エアインタフェース４００を介してコアネットワーク５００へ、無線接続と複数の無線端末へアクセスとを提供する、１つ以上の拡張ノードＢ（evolved NodeB：eNB）３００を含む。この例では、ｅＮＢ３００は、通信ネットワーク上でデータの収集及び通知を行うため、レガシーＬＴＥユーザ端末（User Equipment：ＵＥ）２００のような複数の非ＭＴＣデバイス（non-MTC devices）と、低コストＬＴＥベースのＭＴＣデバイス（low cost LTE based MTC device）１００のようなＭＴＣデバイスとをサポートする。レガシーＬＴＥのＵＥ２００は、ユーザによる音声およびデータ通信に使用される、携帯電話、スマートフォン、ラップトップコンピュータなどのような無線デバイス（無線装置）を含んでもよい。ＬＴＥベースのＭＴＣデバイス１００は、必ずしもユーザとの相互作用（human interaction）が必要ではなく、無線通信ネットワークのトラフィックの特定のタイプを有する、１つ以上のエンティティに関するデータ通信の形態として３ＧＰＰ標準で定義されている。
【００５３】
図１に示すように、通信ネットワークコア５００は、一つ以上の外部ＭＴＣサーバ６００および／または1つ以上のＭＴＣアプリケーション／アプリケーションサーバ７００（複数可）との接続を提供するために、外部ＩＰネットワーク８００に接続されている。外部ＭＴＣサーバ６００に加えて、ＭＴＣサーバ５５０は、１つ以上のＭＴＣアプリケーション／アプリケーションサーバ７００（複数可）とのＭＴＣ通信を制御するネットワークオペレータを可能にするコア通信ネットワーク５００内に設けてもよい。ＭＴＣサーバ６００または５５０は、低コストＬＴＥベースのＭＴＣデバイス（複数可）のようなＭＴＣデバイス１００へＭＴＣ通信サービスを提供する必要がある。ＭＴＣアプリケーションサーバ７００は、低コストＬＴＥベースのＭＴＣデバイス（複数可）のようなＭＴＣデバイスにアプリケーションサービス（複数可）を提供する必要がある。
【００５４】
ＬＴＥの当業者によって理解されるように、ｅＮＢ３００は、すべてのＵＥの通信を最適化するセルおよびセクタにおける無線リソース及び移動性（mobility）を管理する必要がある。したがって、ｅＮＢ３００は、ＤＣＩフォーマッティング、ＣＲＣアタッチメント、チャネルコーディング、およびレートマッチングを含むｅＰＤＣＣＨのチャネルコーディング＆多重化（multiplexing）を実行する。また、ｅＮＢは、物理チャネル多重化、スクランブリング、変調、レイヤマッピングおよびプリコーディングを含むｅＰＤＣＣＨの物理チャネル処理を実行する。要するに、ｅＮＢは、物理ダウンリンク制御チャネル（Physical Downlink Control Channel：ＰＤＣＣＨ）および拡張物理ダウンリンク制御チャネル（Enhanced Physical Downlink Control Channel：ｅＰＤＣＣＨ）を管理する。ＬＴＥの下では、ＰＤＣＣＨは、ダウンリンク（ＤＬ）リソースアロケーションのためのＵＥ固有スケジューリング割り当て（UE-specific scheduling assignments）、アップリンク（ＵＬ）グラント、物理ランダムアクセスチャネル（Physical Random Access Channel：ＰＲＡＣＨ）レスポンス、ＵＬ電力制御コマンド、システムインフォメーションやページングのようなシグナリングメッセージのための共通スケジューリング割り当てなどを搬送する。
【００５５】
ＰＤＣＣＨは、各サブフレームの先頭で、最初の１または２または３のＯＦＤＭシンボルを使用する（最初の２または３または４のＯＦＤＭシンボルであり、１．４ＭＨｚチャネルの場合を除く）。サブフレームにおいて制御情報を送信するために使用されるＯＦＤＭシンボルの実際の数は、ＣＦＩ値によって識別される。任意の所定のサブフレームで使用されるＯＦＤＭシンボルの実際の数は、各サブフレームの最初のＯＦＤＭシンボルに位置する物理制御フォーマットインジケータチャネル（Physical Control Format Indicator Channel：PCFICH）に示される。
【００５６】
ＰＤＣＣＨは、最小のリソースエレメント（Resource Element：RE）となる複数のブロックを備えて構成されている。ＲＥは、時間領域では１つのＯＦＤＭシンボルであり、周波数領域では１つのサブキャリアである。リソースエレメントは、リソースエレメントグループ（Resource Element Group：REG）にグループ化される。各ＲＥＧは、４つの連続したＲＥ、または、同じＯＦＤＭシンボル及び同じリソースブロック内でセル固有参照信号（cell-specific Reference Signal：RS）により区切られた４つのＲＥが含まれる。
【００５７】
ＲＥＧは、また、制御チャネルエレメント（Control Channel Element：CCE）を形成するために利用される。各ＣＣＥは、９つのＲＥＧを含んでおり、ダイバーシティを可能とし干渉を軽減するためインターリービングを介して、最初の１/２/３（/４、１．４ＭＨｚチャネルの必要に応じて）のＯＦＤＭシンボル及びシステム帯域幅にまたがって分散している。ＰＤＣＣＨ内のＣＣＥの数は、ＣＣＥアグリゲーションレベルと呼ばれ、１、２、４、または８つの連続するＣＣＥ（論理シーケンス）であってもよい。使用可能なＣＣＥの総数は、ＰＣＦＩＣＨの構成及びシステム帯域幅により決定される。各ＰＤＣＣＨは、確実に１つのＤＣＩ（ダウンリンク制御情報：Downlink Control Information）を含む。ＤＣＩのサイズがフォーマット及びチャネル帯域幅に大きく依存できるにしたがい、異なるアグリゲーションレベルの使用は、複数のＤＣＩ（ダウンリンク制御情報）のサイズ及びフォーマットを収容するＰＤＣＣＨを可能とし、増加する粒度（granularity）によりリソースの利用率を改善する。
【００５８】
さらに、アグリゲーションは、制御メッセージのＤＣＩとＵＥトラフィックのＤＣＩとを区別するために使用することができる。より高いアグリゲーションレベルは、より多くの保護（protection）を提供するため、制御メッセージのリソースアロケーションのために使用することができる。ＵＥ固有アロケーション（UE-specific allocation）のアグリゲーションレベルを１または２または４または８としつつ、制御メッセージのアグリゲーションレベルを４または８としてもよい。
【００５９】
ＵＥ２００がそれらのリソースアロケーションを決定するため、ＵＥ２００はＤＣＩの指定を識別する必要がある。ＵＥ２００は、関連する探索空間で、可能なリソースアロケーションを探索する。探索空間は、ＵＥ２００がＰＤＣＣＨを見つけることができるように、ＣＣＥロケーションのセットを示している。各ＰＤＣＣＨは、１つのＤＣＩを搬送し、無線ネットワーク一時識別子（Radio Network Temporary ID：RNTI）によって識別される。ＲＮＴＩは、ＤＣＩのＣＲＣアタッチメントにおいて、暗黙的に（implicitly）符号化される。共通探索空間（common search space）とＵＥ固有探索空間（UE-specific search space）の２つのタイプの探索空間がある。ＵＥ２００は、共通とＵＥ固有の探索空間の両方をモニタすることが必要とされる。共通探索空間は、システム情報のためのＤＣＩ（ＳＩ−ＲＮＴＩを使用して）、ページング（Ｐ−ＲＮＴＩ）、ＰＲＡＣＨレスポンス（ＲＡ−ＲＮＴＩ）、またはＵＬ ＴＰＣコマンド（ＴＰＣ−ＰＵＣＣＨ／ＰＵＳＣＨ−ＲＮＴＩ）を含む。ＵＥは、アグリゲーションレベル４及び８を使用して、共通探索空間をモニタする（ブラインド探索する）。
【００６０】
システム情報（ＳＩ−ＲＮＴＩ）、ページング（Ｐ−ＲＮＴＩ）、ＰＡＣＨレスポンス（ＲＡ−ＲＮＴＩ）および／またはアップリンクＴＰＣコマンドを、期待している場合、まず、ＵＥは、共通探索空間をブラインド（blindly）探索する。共通空間の探索が完了すると、ＵＥは、次に、ＵＥ固有探索空間のブラインド探索へ進む。ＵＥ固有探索空間は、ＵＥに割り当てられたＣ−ＲＮＴＩ、セミパーシステントスケジューリング（semi-persistent scheduling：ＳＰＳ Ｃ−ＲＮＴＩ）、またはイニシャルアロケーション（temporary C-RNTI）を使用して、ＵＥ固有アロケーション（UE-specific allocation）のためのＤＣＩを搬送できる。ＵＥは、すべてのアグリゲーションレベル（１、２、４、および８）でＵＥ固有探索空間をモニタする。ＰＤＣＣＨの開始ＣＣＥインデックスは、ＲＮＴＩ、無線フレーム内のスロット番号、サブフレームの制御領域内のＣＣＥの総数、およびアグリゲーションレベルに基づいた数式を用いて求めることができる。
【００６１】
各ブラインド検出の後、ＵＥ２００は、ＲＮＴＩに対応するＣＲＣを確認する。ＣＲＣが正常な場合、ＵＥは、ペイロードサイズ及びＲＮＴＩから、検出されたＰＤＣＣＨの正確なＤＣＩフォーマットを得ることができる。ＤＣＩフォーマットを知ることで、ＵＥは、次に進みペイロードを解析することができる。
【００６２】
ＭＴＣデバイスリソースアロケーションおよびアクセスのケースでは、ＭＴＣデバイスの特性およびサービス品質（ＱｏＳ）の要求に依存した様々な方法で処理することができる。ＬＴＥシステムでのＭＴＣデバイスのアクセス制御およびリソースアロケーション技術の例は、本願より先に出願されたオーストラリア仮出願である、「マシンタイプ通信を提供する装置および方法（Apparatus and method of providing machine type communication）」という発明の名称のオーストラリア仮出願ＡＵ２０１１９０４９２３、「マシンタイプ通信（ＭＴＣ）デバイスのための無線通信ネットワークへのアクセス制御方法（Method of controlling access to a wireless communications network for machine-type communication (MTC) devices）」という発明の名称の出願ＡＵ２０１２９００６０１に記載されており、ここでは、その全体を参照し援用する。
【００６３】
ＭＴＣデバイスの特性とそれが要求するＱｏＳなどの要因に加えて、ＲＡＮ−ＷＧ１の研究結果として、３ＧＰＰは、ＬＴＥベースの低コストＭＴＣ ＵＥ（low-cost MTC UEs based on LTE）の提供のための部品表（Bill of Material：ＢＯＭ）を特定した。３ＧＰＰ ＲＡＮ−ＷＧ１によれば、ＬＴＥの低コストＭＴＣデバイスを現在のＥＧＰＲＳサービスと同等とするため、ダウンリンク帯域幅は削減される必要があり、ピークデータレートは、１０００ビットに制限されたＴＢＳを用いて引き下げられる必要があり、ダウンリンク伝送モードが減少した場合、及び半二重ＦＤＤが採用された場合、単一のＲｘＲＦチェーン（single Rx RF chain）が採用される。ＬＴＥに基づいた低コストＭＴＣ ＵＥの提供に関する研究の結果として、３ＧＰＰ ＲＡＮ−ＷＧ１は、以下を推奨している：
１．ピークレート引き下げ（peak rate reduction）および帯域幅削減（bandwidth reduction）は、必須の技術として採用され、
２．半二重ＦＤＤは、オプションの技術として採用され、
３．カバレッジの削減が完全に保証されるべき場合にのみ、単一の受信ＲＦチェーン（Single receive RF chain）は採用され、
４．ＭＴＣ固有のＵＥカテゴリ（MTC-specific UE category）が導入される。
【００６４】
したがって、ＢＯＭに合わせるため、低コストＬＴＥベースのＭＴＣデバイス１００は、ＢＷ削減に加えてピークレート引き下げ及び単一のＲｘＲＦチェーン（single Rx RF chain）を採用する必要がある。帯域幅の削減を検討したＲＡＮ−ＷＧ１の研究は、データチャネルと制御チャネルの両方のみのベースバンドの帯域幅削減（ＤＬ−２）と、制御チャネルがまだキャリア帯域の使用を許可されている間のみ、ベースバンドのデータチャネルのための帯域幅削減（ＤＬ−３）を含む複数のオプションを検討した。これらの両方のオプションは、コスト削減要因ならびにレガシーの仕様変更要求のため、高い能力を提供する。最小のＬＴＥ仕様の変更を持つＤＬ−２オプションの実装は、複数の技術的な課題（technical challenges）を提起する。
【００６５】
コアＬＴＥサービスへの影響を最小限に抑えて、ＬＴＥ上で低コストＭＴＣデバイスの提供を可能にするため、先に出願された仮出願ＡＵ２０１２９００６０１では、ノーマルＬＴＥオペレーションのために非常に小さいことを考慮し、ノーマルＬＴＥオペレーション内で使用する指定されたスペクトルの使用を提案した。ＡＵ２０１２９００６０１で提案されたシステムのもとでは、１．４ＭＨｚ（central 1.4MHz）が、ＭＴＣトラフィックに割り当てられた仮想狭帯域幅（virtual narrow bandwidth(BW)）として設定された。ＬＴＥのＭＴＣのための３ＧＧＰ部品表を実装するため、仮想狭帯域幅は、再び使用される。しかしながら、ＤＬ−２オプションを実現するため、ＭＴＣデバイスのためのｅＰＤＣＣＨ上の共通及びＵＥ固有探索空間の使用は、実現される必要がある。ＭＴＣデバイスのための共通及びＵＥ固有探索空間を容易にするため、本発明は、ＭＴＣ ｅＰＤＣＣＨのために予約された物理リソースブロック（ＰＲＢ）内のリソースエレメント（ＲＥ）へｅＮＢによってマッピングされるショートコード（Short Codes：SC）及びロングコード（Long Codes：LC）を利用する。さらに、低コストＭＴＣデバイス１００は、ＭＴＣ送信のためのｅＰＤＣＣＨ（複数可）を搬送するＰＲＢ（複数可）を識別するため、ショートおよびロングコードのブラインド検出を実行する
【００６６】
ショートコード（ＳＣ）は、ｅＰＤＣＣＨのＰＲＢと送信アンテナポートのｅＰＤＣＣＨの数のブラインド検出においてＭＴＣデバイスを支援するために使用され、ＰＲＢ単位で参照信号シーケンスの一部にｅＮＢによりコード多重（code-multiplexed）される。ロングコード（複数可）は、コード多重またはスクランブルしたショートコードの先頭でｅＮＢによって使用され、ＣＦＩ（すなわち、レガシー制御領域）、すなわちＭＴＣ送信のためのｅＰＤＣＣＨ（複数可）を搬送する検出されたＰＲＢにおける開始ＯＦＤＭシンボルを検出するため、ＭＴＣデバイスを有効にする。
【００６７】
各ショートコードは、ＭＴＣ ｅＰＤＣＣＨの伝送に対応して割り当てられたＰＲＢにおいて、指定されたアンテナポートにマッピングするＵＥ固有の参照信号（復調参照信号（DMRS：Demodulation Reference Signal）とも呼ばれる）のために予約されているリソースエレメントの数と同じ長さの１つのＰＢＲにおよぶ固有直交シーケンス（固有直交系列：unique orthogonal sequence）である。ロングコードの場合には、３つの固有直交シーケンスは、ＣＦＩ＝１、ＣＦＩ＝２、ＣＦＩ＝３を特定するために使用される。
【００６８】
ｅＮＢは、ショートコード及びロングコードを効率よく送信するため、ＰＢＣＨ、同期信号、セル固有参照信号、ＭＢＳＦＮ参照信号、またはＵＥ固有参照信号の送信のために使用されないリソースエレメント（ＲＥ）へｅＰＤＣＣＨまたは複数のｅＰＤＣＣＨのマッピングを、ＭＴＣ ｅＰＤＣＣＨ伝送のために割り当てられた周波数領域インデックスｎＰＲＢを持つ物理リソースブロック（ＰＲＢ）において、指定されたアンテナポート（複数可）で実行する。ｅＮＢは、また、ＵＥ固有参照信号のために予約されているリソースエレメント（ＲＥ）へ、ショートコードとロングコードの一部とコード多重されている参照信号シーケンスの一部のマッピングを、対応するＭＴＣ ｅＰＤＣＣＨ送信のために割り当てられた周波数領域インデックスｎＰＲＢを持つ物理リソースブロック（ＰＲＢ）において、指定されたアンテナポート（複数可）で実行する。
【００６９】
図２は、ｅＰＤＣＣＨ（複数可）送信のために使用される１または２のアンテナポート１１１、１１２の場合のショートコード４８５及びロングコード４８６の使用を示している。示されるように、ショートコード（ＳＣ）４８６は、ＰＲＢ４８３単位で参照信号シーケンスの一部に多重化され、ｅＰＤＣＣＨ伝送のために使用されるアンテナポート１１１および／またはアンテナポート１１２のＵＥ固有参照信号ＲＥ４８１（複数可）にマッピングされる。各ショートコードは、最初の時間で、ＤＭＲＳ ＲＥ（複数可）にマッピングされ、その後、時間及び周波数ダイバーシティの両方を最大限にする周波数でマッピングされる。
【００７０】
図２から理解できるように、ショートコードは、長さが１２である。図２から理解できるように、ショートコード（複数可）として使用される直交シーケンス（複数可）は、すべてのＰＲＢ（複数可）に対して同様に繰り返され、このＰＲＢは、ｅＰＤＣＣＨ（複数可）伝送のために予定されたアンテナポートの最大数に等しいショートコードとして使用される、固有直交シーケンスの数を持つｅＰＤＣＣＨ（複数可）のために割り当てられる。図２の場合では、アンテナポート１１１および／またはアンテナポート１１２は、２つの固有直交シーケンスがショートコードのために使用されるｅＰＤＣＣＨ（複数可）を送信するために使用される。
【００７１】
図２に示すように、ｅＰＤＣＣＨ（複数可）送信のために使用される１または２のアンテナポートの場合において、１つの固有直交シーケンスのみが、ロングコード（ＬＣ）として使用される。ロングコードとして使用される直交シーケンスの長さは、全体の削減帯域幅（reduced bandwidth）［ＮＲＢＲｅｄｕｃｅＢＷ］のためのすべてのＰＲＢにまたがる。削減帯域幅が１．４ＭＨｚで、ＤＭＲＳのために予約されたＲＥ（複数可）の数が１２の場合、したがって、ロングコードの長さは、［１２×６］である。これは、ＰＲＢ単位で再生成されるロングコードのセクションの複製を可能にする。ｅＰＤＣＣＨ（複数可）のために割り当てられたＰＲＢ（複数可）の数がＮＲＢＲｅｄｕｃｅｄＢＷよりも少ない場合、ロングコードの部分または複数部分（multiple parts）が使用されてもよい。ロングコードの長さは、連続したＰＲＢ（物理リソースブロックグループ（Physical Resource Block Group：ＰＲＢＧ）と呼ぶ）単位の所定のブロックで同じロングコードを繰り返すことで、任意に削減させてもよい。
【００７２】
図２は、１および２のアンテナポートのためのショートコード及びロングコードの使用を示すが、ＬＴＥ Ｒｅｌ’１１では４つのアンテナポートが提供される。図３は、ショートコード４８５、４８７、ロングコード４８６、４８８の使用を示している。示されるように、４つのアンテナポート１１１、１１２、１１３及び１１４が、ｅＰＤＣＣＨを送信するために利用される場合、４つの固有直交シーケンス（複数可）が使用される。図２に示した例のように、図３におけるショートコードは、再び、長さが１２であり、ＰＲＢ４８３単位で参照信号シーケンスの一部と多重化し、それぞれアンテナポート１１１、１１２、１１３及び１１４のためＵＥ固有参照信号ＲＥ４８１および４８２（複数可）にマッピングされ、各ショートコードは、最初の時間でＤＭＲＳ ＲＥ（複数可）にマッピングされ、次に時間及び周波数ダイバーシティの両方を最大にする周波数でマッピングされる。
【００７３】
４つのアンテナポートがｅＰＤＣＣＨ（複数可）伝送のために利用される場合のＣＦＩ検出を改善するため、ロングコード４８６、４８８のように２つの同一の直交シーケンスが使用される。上述したように、ＬＣとして使用される直交シーケンスの長さは、全体の削減帯域幅［ＮＲＢＲｅｄｕｃｅｄＢＷ］のためのすべてのＰＲＢにおよんでいる。
【００７４】
ＭＴＣ ｅＰＤＣＣＨ送信のために使用されるアンテナポートの数、ｅＰＤＣＣＨ（複数可）を搬送する定義された削減帯域幅内でＰＲＢ（複数可）を識別するため、ＭＴＣデバイス１００は、ＭＴＣのｅＰＤＣＣＨとショートコードを使用するｅＰＤＣＣＨの送信アンテナポートの数を搬送するＰＲＢを検出する。ＭＴＣデバイスは、それから、ｅＰＤＣＣＨの開始ＯＦＤＭシンボルを決定するため、ロングコードを使用して検出されたＰＲＢでＣＦＩ検出を実行する。ＰＲＢ、送信アンテナポート数およびｅＰＤＣＣＨの開始ＯＦＤＭシンボルを検出するとともに、ＭＴＣデバイスは、全体の探索空間を形成するためｅＰＤＣＣＨを搬送するすべてのＲＥ（複数可）を収集し、それから、レガシーＬＴＥデバイスのため上述と同様に、検出制御情報（detect control information ：DCI）のため共通探索やＵＥ固有探索または両方を実行することができる。
【００７５】
ショートコードおよびロングコードを利用することにより、ＭＴＣデバイスは、既存のＬＴＥ基盤に影響を与えることなく、ＭＴＣのためのｅＰＤＣＣＨ（複数可）を搬送するＰＲＢ、ｅＰＤＣＣＨ（複数可）の送信のために使用されるアンテナポート（複数可）の数、およびＣＦＩを、盲目的に識別することができる。さらに、ＭＴＣはショートコードおよびロングコードを抽出することのみが必要となるため、実現可能な低コストＬＴＥベースのＭＴＣデバイスの導入を行うＬＴＥサービスを利用するために、既存のＭＴＣアーキテクチャに必要となる変更が小さい。
【００７６】
上記実施形態は本発明の例示のためにのみ提供されていることが理解され、ここに記載された本発明のスコープおよび範囲内で、その更なる変更および改良が可能であることは、当業者には明らかである。
【００７７】
本出願は、２０１２年９月１０日に出願されたオーストラリア特許出願第２０１２９０３９４１を基礎とする優先権を主張し、参照によりそこで開示される全体が本明細書に組み込まれる。
【符号の説明】
【００７８】
１００  ＭＴＣデバイス
１１１−１１４  アンテナポート
２００  ＬＴＥ  ユーザ端末（ＵＳＥＲ ＥＱＵＩＰＭＥＮＴ：ＵＥ）
３００  拡張ＮＯＤＥＢ（ＥＶＯＬＶＥＤ ＮＯＤＥＢ：ｅＮＢ）
４００  無線インタフェース
４８１、４８２  ＵＥ固有参照信号（ＵＥ ＳＰＥＣＩＦＩＣ ＲＥＦＥＲＥＮＣＥ ＳＩＧＮＡＬ）  ＲＥ
４８３  ＰＲＢ単位
４８５、４８７  ショートコード
４８６、４８８  ロングコード
５００  移動通信コアネットワーク
５０１  無線ネットワーク
５５０  ＭＴＣサーバ
６００  外部ＭＴＣサーバ
７００  ＭＴＣアプリケーション／アプリケーションサーバ
８００  外部ＩＰネットワーク
１０００  通信ネットワーク
【図１】
2015531553.tif 000003
【図２】
2015531553.tif 000004
【図３】
2015531553.tif 000005
【国際調査報告】
2015531553.tif 000006